(57)【要約】      （修正有）【課題】掲示物を安定してスライド及び支持できる掲示板を提供する。【解決手段】基板に対して透明板が掲示物を挟むため前傾斜となるＶ開き可能に下端で連結され、基板と透明板とのいずれかに掲示物のスライド受け部を突設し、また、上端部に透明板を開閉いずれにも停止する開閉保持装置を装備したＶ開き式掲示板において、開閉保持装置について、係合凹溝４１を有するスライドピン２７を透明板３の背面に突設し、基板１においては、スライドピンが貫通するスライド孔５５と、スライドピンに挿入することにより基板と透明板との間に圧縮して介在されるバネ装置２８と、このバネ装置のさらなる圧縮を伴う透明板の閉じにおいて係合凹溝に弾力で一部が落ち込み掛止するロック装置３２とを装備し、ロック解除に伴いバネ装置の弾力で透明板が開かれる時の開き角度を設定するためストッパーを設けた。【選択図】図６
2007328244.tif 000002
【特許請求の範囲】
【請求項１】
基板に対して透明板が掲示物を挟むため前傾斜となるＶ開き可能に下端で連結され、基板と透明板とのいずれかに掲示物のスライド受け部を突設し、また、上端部に透明板を開閉いずれにも停止する開閉保持装置を装備したＶ開き式掲示板において、開閉保持装置について、係合凹溝を有するスライドピンを透明板の背面に突設し、基板においては、スライドピンが貫通するスライド孔と、スライドピンに挿入することにより基板と透明板との間に圧縮して介在されるバネ装置と、このバネ装置のさらなる圧縮を伴う透明板の閉じにおいて係合凹溝に弾力で一部が落ち込み掛止するロック装置とを装備し、ロック解除に伴いバネ装置の弾力で透明板が開かれる時の開き角度を設定するためストッパーを設けたことを特徴とするＶ開き式掲示板。
【請求項２】
透明板を基板よりも少なくとも下端において幅広く形成し、前記開閉連結装置については、スライド受け部の先端が透明板又は基板に接する点を支点として透明板が開閉するよう、透明板の下端部に、基板よりも外れた下方位置において、少なくとも左右一対において連結ピンを突設し、基板には連結ピンの通し孔を有する金属補長板を食み出し状に固着し、通し孔を貫通した連結ピンに、基板と透明板とが締めとなるように構成したことを特徴とする請求項１記載のＶ開き式掲示板。
【請求項３】
透明板を基板よりも少なくとも上端において幅広く形成し、さらに前記開閉保持装置については、透明板の上端部に、基板よりも外れた上方位置において、少なくとも左右一対においてスライドピンを突設し、基板には金属補長板と内隙盤とを食み出し状に固着し、金属補長板と内隙盤とにスライドピンが通るスライド孔が一体に設けられ、透明板の閉じにおいて内隙盤の空隙がスライドピンの係合凹溝の位置になるように設定され、係合凹溝に落ち込む前記ロックバネが、落ち込み部分としての揺動部の下端が内隙盤の前記空隙に納まるように形成され、下端を内隙盤に固着してあって、揺動部が内隙盤から突出する上端には、係合凹溝から外されるよう揺動操作するための操作部を設けてあり、その外れによりバネ装置の弾力で透明板が開いた停止角度を保持し得るように前記ストッパーが取り付けられ、スライドピンが頭部付きであって、透明板の前面にその頭部が押しボタンとして突出したことを特徴とする請求項１又は２記載のＶ開き式掲示板。
【発明の詳細な説明】
【技術分野】
【０００１】
この発明は、例えば、ポスターや写真等（以下、掲示物と称する）を納めるために、その掲示物を横から挿入し得るように、裏側の基板に対して透明板を前傾斜に開き得るように下端で連結したＶ開き式掲示板に関する。
【背景技術】
【０００２】
従来の掲示板は、縦横フレームにより枠組みされた窓から前面の透明板を透して掲示物が視覚されるようにしたもので、これには様々な形態があって、例えば、一の縦フレームを開閉可能にしておくことにより横から掲示物をスライドして出し入れするようにしたもの（特許文献１）、四隅にコーナーピースを有し、そのコーナーピースを介して枠組みされる固定部材と、固定部材に対して開閉可能な可動部材とで構成することにより前面から掲示物を出し入れし得るようにしたもの（特許文献２）、等を挙げることができる。
【０００３】
しかし、これらによると、掲示物の出し入れが容易ではなく、殊に、面倒なフレームの開閉操作を伴うという問題があったので、壁等に取り付けたまま掲示物の取り替えを容易にできるように、本願の発明者等においては、裏板が枠組みされる基枠に、透明板が枠組みされる窓枠を下端で開閉可能に蝶番を介して軸支した構造において、Ｖ開きの横から掲示物を出し入れするようにしたＶ開き式掲示板を先に開発し提案した（特許文献３）。そして、これによると、掲示物の出し入れの際に、Ｖ開きを保持できるように、基枠と窓枠との間には、上端において左右一対のスライドステーを股開き状に介在させ、基枠と窓枠とのいずれかの下端フレームに掲示物を横から挿入する案内ともなるスライド受け部を設け、さらに、基枠と窓枠とを閉じに保持するために、上端において、基枠にフックを、窓枠にフック掛けを具備していた。
【特許文献１】特開平１０−６６６３７号公報
【特許文献２】特許第２９４８４５１号公報
【特許文献３】特許第３３８３２１１号公報
【発明の開示】
【発明が解決しようとする課題】
【０００４】
掲示物の由来を見ると、フレームによる枠組みに、裏板や透明板を組み込むようにした普通の額縁が当初使用されてきたこともあって、その後改善が加えられてきたけれども、上記のようにフレームを備えて物々しく見える形態であったことから、単純明快なデザインを好む現代的センスに欠ける結果となっていた。なお、これは前記特許文献３の本出願人に係るものも例外ではなかった。そこで、本願の出願人においては、フレームの無い言わばフレームレス掲示板、殊に上記のような観点から、フレームレスのＶ開き式掲示板を開発することに着眼し、その場合の問題点を解決するために鋭意研究と実験を重ねてきた。ただし、本願の発明において、フレームレスとは、常にフレームを完全に除外する意味ではなく、機能に関係なくデザイン的にフレームを備えていても良いものとする。ちなみに、従来は、前述の如くフレームにおいて開閉の機能が備えられていた。
【０００５】
問題点を述べると、単純明快なデザインにするには、Ｖ開き式掲示板の構成を大まかに言えば基板と透明板とで構成することである。しかし、フレームレスでまず問題となったことは、従来のように、開閉機能として、フレームにスライドステーやフックを装着するという手法を取りえないので、それに代えてＶ開きを如何に保持するか、また、フレームに掲示物を受けるスライド受け部を設けることができないので、それをどのようにして設けるかということであった。特に、下部に蝶番を用いると、そこを中心に透明板が開くことになるため、それよりも上のスライド受け部に、掲示物の支持に不都合に開くことになる等という問題もあった。
【０００６】
上記のように、この発明は、本出願人に係る特許文献３に示すような従来のＶ開き式掲示板をフレームレスに進展させることを目的として、フレームレスにおいて、裏板に対して透明板をＶ開きの開閉いずれにも保持でき、その切り替え操作が容易であり、また、掲示物を安定してスライド及び支持できるスライド受け部を有するＶ開き式掲示板を提供することを課題とした。
【課題を解決するための手段】
【０００７】
この発明は、上記の課題を解決するために、基板に対して透明板が掲示物を挟むため前傾斜となるＶ開き可能に下端で連結され、基板と透明板とのいずれかに掲示物のスライド受け部を突設し、また、上端部に透明板を開閉いずれにも停止する開閉保持装置を装備したＶ開き式掲示板において、開閉保持装置について、係合凹溝を有するスライドピンを透明板の背面に突設し、基板においては、スライドピンが貫通するスライド孔と、スライドピンに挿入することにより基板と透明板との間に圧縮して介在されるバネ装置と、このバネ装置のさらなる圧縮を伴う透明板の閉じにおいて係合凹溝に弾力で一部が落ち込み掛止するロック装置とを装備し、ロック解除に伴いバネ装置の弾力で透明板が開かれる時の開き角度を設定するためストッパーを設けたことを特徴とするＶ開き式掲示板を提供する。
【０００８】
Ｖ開き式掲示板を上記のように構成したから、掲示物の展示状態においては、基板に対して透明板が閉じおり、その時には、上部の開閉保持装置において、ロック装置例えばロックバネが、スライドピンの係合凹溝に掛止していることにより、バネ装置例えばコイルバネが、圧縮された状態で閉じにロックされている。そこで、掲示物を出し入れするときには、操作部例えば指掛けに、手を掛けることによりロックバネを係合凹溝から外してロックを解除する。そうすると、コイルバネの弾力で透明板が前へ傾斜して開くことになる。また、透明板を閉じるときには、スライドピン（これに押しボタンが取り付けられているときにはその押しボタン：請求項３）を前面から押して、コイルバネの圧縮を伴いながらスライドピンをロックバネに対してスライドさせる。そうすると、閉じた時点でロックバネがスライドピンの係合凹溝に弾力で落ち込んで掛止するので、これによって透明板の閉じた状態がロックされる。また、透明板の開閉においてはスライド受け部の先端が透明板又は基板に圧接する点を支点とするので、スライド受け部に掲示物が抜けたり引っ掛かったりする隙間が生じない。
【発明の効果】
【０００９】
以上説明したように、この発明は、従来のＶ開き式掲示板をフレームレスにおいて機能的に巧妙に進展させることに成功したものであって、これによれば、裏板に対して透明板をＶ開きの開閉いずれにも保持できることはもちろん、その切り替え操作が言わばワンタッチに極めて迅速且つ容易になすことができるため、上記壁等に設置したままで掲示物の取り替えをなす使用に適し、また、開閉いずれにおいても、スライド受け部に隙間が生じないので、掲示物を安定してスライド及び支持できるという優れた効果がある。
【００１０】
加えて、請求項２によれば、下端部の開閉連結装置について、スライド受け部に隙間が生じないように、その先端が相手の透明板又は基板に圧接する点を支点として透明板を開閉させることができ、また、請求項３によれば、上端部の開閉保持装置について、それを確実に動作させ得るばかりでなく、透明板の裏側に開閉保持装置が装備しやすくコンパクトとなる。
【発明を実施するための最良の形態】
【００１１】
次に、この発明の実施形態を図面に基づいて説明する。
【００１２】
図面は一実施の形態を示したもので、そのＶ開き式掲示板Ｄは、壁Ｗ等に固定される裏板ないし背面板に相当する基板１と、それとの間にポスター等の掲示物Ｐを挟むためにやゝ前倒しのＶ開きに開閉する透明板３とからなり、透明板３が基板１よりも全周に広く形成され、基板１と透明板３との下端部にＶ開きのための開閉連結装置５を装備し、上端部にＶ開き及び閉じを保持するための開閉保持装置７が装備される。また、基板１の下端に透明板３との間を封じるようにして掲示物Ｐを受けるスライド受け部８が設けられ、これも開閉の機能に関与している。
【００１３】
基板１は、壁Ｗ等に当てて止めるための突子脚９，９，・・が基板１の四隅と下端中央と左右高さ中間部とに突設される。また、透明板３の前面には上端に左右一対の押しボタン１１，１１を突設し、その双方に対応するように下端に左右一対のポイントボタン１３，１３がデザイン的に突設される。これら突子脚９，９，・・、押しボタン１１，１１及びポイントボタン１３，１３はそれぞれ短い円柱形に形成されている。そして、ポイントボタン１３，１３が開閉連結装置５の一部材を構成し、押しボタン１１，１１も同じくデザイン的なワンポイントとなっているとともに、開閉連結装置５の一部材を構成している。なお、四隅の突子脚９は、後記する金属補長板１５，２９にビス止めして取り付けられる。
【００１４】
基板１の下端部には、アルミ押出形材からなるＬ字形断面の縁部材１４を裏面と端面に当て添えて固定し、その一片を透明板３の裏面に付き当てることにより、下片をスライド受け部８とするとともに基板１と透明板３との間に掲示物Ｐが納まる間隔が保持されるようになっている。
【００１５】
開閉連結装置５は、掲示物Ｐが支えないようにスライド受け部８よりも下に装備され、基板１と透明板３とを左右でピン連結したもので、ピン連結のために左右両端部に帯板状の金属補長板１５，１５が基板１の裏側に取り付けられる。これについては、縁部材１４と別途補助板１６の上から上下ビス１７，１７で固定して、一部をピン連結用として下方へ突き出し、その金属補長板１５の突き出た部分及び透明板３とにそれぞれ連結ピン１９，１９の通し孔２１，２２が設けられる。
【００１６】
連結ピン１９，１９は、前記ポイントボタン１３，１３が頭部となるもので、通し孔２１，２２を通した先端部に環状凹溝２３を形成し、そこに留め金２５を掛けることによりピン締めがなされ、こうしてスライド受け部８の先端が透明板３に常時接する支点２４となっている。したがって、透明板３の開閉は、支点２４を中心とする揺動としての動作なり、その際に、連結ピン１９に視覚不能程度に僅かであるが通し孔２１に対するスライドを伴わせる。つまり、閉じたときの下端（図５）における基板１と透明板３との間隔をα、開いたときの下端（図７）における間隔をβとすると、α＞βの関係が成り立つ。また、連結ピン１９を安定して支持し得るように（透明板３が下がらないように）、金属補長板１５に設けられる通し孔２１が添え金属片２６の孔２１ａにより長く延長される。なお、留め金２５にはナットを用いることもできる。
【００１７】
開閉保持装置７は、左右両端部において、前記両押しボタン１１，１１を頭部とする一体のスライドピン２７，２７を透明板３の裏側に突設することにより構成したもので、部材としてはその他に、透明板３を開きに付勢するコイルバネ２８と、透明板３を閉じに保持するようスライドピン２７の周面に押されるロックバネ３２とを具備しており、その装備が基板１の周囲に外れた箇所でなし得るように、下端の金属補長板１５，１５と対称的に、基板１の上端部に別途金属補長板２９，２９を当ててビス３１，３１にて固着し、金属補長板２９，２９に内隙盤３３をビス３５，３５で固着してある。なお、図３において、内隙盤３３が半面側で欠除して内部を表してあり、これからわかるようにロックバネ３２が内蔵されている。
【００１８】
スライドピン２７は、押しボタン１１と共に取り外しできるようにするため、透明板３の取付孔３６に固定されていない。つまり、取付孔３６にスライドするために、頭部としての押しボタン１１が閉じの押し操作に必要な部分となっている。なお、固定されていると、透明板３を直接押して閉じてもスライドピン２７が同時に押されてロック状態が得られる。そのいずれであっても良いが、製作上は取付孔３６にスライド可能な未固定が好都合である。このスライドピン２７には、先端に留め金としてのストッパー３７が掛かる環状凹溝３９を設け、中間部にはロックバネ３２が着脱可能に係る環状の係合凹溝４１が設けられる。そして、スライドピン２７には、透明板３と金属補長板２９との間に介在されるバネ装置として、コイルバネのうちでもラッパ型コイルバネ２８が挿入される。なお、スライドピン２７の長さについて、先端部を取り替えること等により長短に変えうるように構成することもある。また、コイルバネの形態としては、ラッパ型の他、筒型など特に限定されるものではない。
【００１９】
内隙盤３３は、金属補長板２９，２９の上端部の裏側にビス３５，３５で止められており（図３）、形状については、金属帯板を上端で反転させて内部に空隙４５が設けられる。空隙４５を保持するために基片３３ａの下端部に折返し４７を設け、そこにおいて裏面片３３ｂが前記ビス３５，３５で止められる。また、上端の反転部４９が頸状に幅狭く形成され、一側の肩部の開いた案内口４４でロックバネ３２の上端が揺動可能に上に突き出ている。
【００２０】
ロックバネ３２は、一方向に大きく弓形に蛇行する上端に係合凹溝４１に弾力で突入し得る揺動部５２を起立して設け、その上端にループ状に曲げてなる指掛け５１を形成したもので、下部基端を止め片５３で固定される（図３）。なお、止め片５３は、内隙盤３３の基片３３ａの一部を切り起こしたもので、切り出した孔にロックバネ３２の下端が止め片５３で押し込めて強固に固定される。こうして、基端から先へ向かって蛇行形状を経ることにより言わばバネの弾性変形距離を稼ぐことになって、直バネに比較してバネの硬直性が緩和されるため、ロック及び解除操作が容易である。また、狭い空隙４５に納まるため、コイル状であるのに比較してコンパクト化に適する。ただし、この発明においては、直であることを除外するものではない。
【００２１】
金属補長板２９と内隙盤３３とにはスライドピン２７が通るスライド孔５５，５５が一体的に設けられており、この孔を往復するスライドピン２７に有する前記係合凹溝４１は、透明板３が閉じた時に内隙盤３３の空隙４５に位置するよう設定される。この設定のため、押しボタン１１を押して透明板３を閉じると、ロックバネ３２の揺動部５２がそのバネの弾力で係合凹溝４１に落ち込み、透明板３が閉じにロックされることになる。この時に、コイルバネ２８の圧縮状態が保持されてそれに弾力が保有されるから、閉じの状態において、操作部としての指掛け５１を下側へ（図３の矢印Ｑ側へ）操作して、係合凹溝４１からロックバネ３２を外すと、コイルバネ２８の弾力で透明板３が開く。そして、ストッパー３７に内隙盤３３が突き当たって停止し開き角度が保持される（図６）。なお、この開き角度は、スライドピン２７の長さに制約されるが（長いと壁Ｗに突き当たる）、突子脚９，９，・・の長さでスライドピン２７を長く取ることが可能となる。
【図面の簡単な説明】
【００２２】
【図１】この発明の一実施形態を示すＶ開き式掲示板の（透明板からその裏側が透けて見える）閉じにおける正面図である。
【図２】同Ｖ開き式掲示板を縦長で中間省略するとともに縦長を左右に分けて示す拡大側面図である。
【図３】上端部の開閉保持装置の構造を示すとともに内隙盤の内部構造を切欠して表す裏側から拡大して見た分解斜視図である。
【図４】主に開閉保持装置を説明するため同Ｖ開き式掲示板の閉じにおける上端部を示す側面から見た拡大断面図である。
【図５】主に開閉連結装置を説明するため同じく閉じにおける下端部を示す側面から見た拡大断面図である。
【図６】主に開閉保持装置を説明するため同Ｖ開き式掲示板の開における上端部を示す側面から見た拡大断面図である。
【図７】主に開閉連結装置を説明するため同じく開における下端部を示す側面から見た断面図である。
【符号の説明】
【００２３】
Ｄ  Ｖ開き式掲示板
Ｐ  掲示物
１  基板
３  透明板
５  開閉連結装置
７  開閉保持装置
８  スライド受け部
１１  押しボタン
１５  金属補長板
１９  連結ピン
２４  支点
２５  留め金
２７  スライドピン
２８  コイルバネ
２９  金属補長板
３２  ロックバネ
３３  内隙盤
３７  ストッパー
４１  係合凹溝
４５  空隙
５１  指掛け（操作部）
５５  スライド孔
【図１】
2007328244.tif 000003
【図２】
2007328244.tif 000004
【図３】
2007328244.tif 000005
【図４】
2007328244.tif 000006
【図５】
2007328244.tif 000007
【図６】
2007328244.tif 000008
【図７】
2007328244.tif 000009